(57)【要約】【課題】実施形態によれば、ユーザの視聴履歴情報を有効に活用して、ユーザの嗜好番組を学習し、この学習結果に基づいて、記録媒体に記録する番組の信号ビットレートを設定することができる。【解決手段】嗜好度情報生成手段は、ユーザが視聴した番組の履歴情報に基づいて、前記番組の嗜好度情報を生成する。ビットレート設定手段は、チューナで受信した第１の番組を記録媒体に記録する場合は、前記嗜好度情報に基づいて前記第１の番組の信号ビットレートを設定し、前記記録媒体から読み出した第２の番組を前記記録媒体に再記録する場合は、前記第２の番組の前記記録媒体への格納期間に基づいて信号ビットレートを設定する。記録再生手段は、ビットレート設定手段で設定された前記信号ビットレートに基づいて前記第１又は第２の番組を前記記録媒体に記録する。【選択図】図１
2013106127.tif 000002
【特許請求の範囲】
【請求項１】
ユーザが視聴した番組の履歴情報に基づいて、前記番組の嗜好度情報を生成する嗜好度情報生成手段と、
チューナで受信した第１の番組を記録媒体に記録する場合は、前記嗜好度情報に基づいて前記第１の番組の信号ビットレートを設定し、前記記録媒体から読み出した第２の番組を前記記録媒体に再記録する場合は、前記第２の番組の前記記録媒体への格納期間に基づいて信号ビットレートを設定するビットレート設定手段と、
ビットレート設定手段で設定された前記信号ビットレートに基づいて前記第１又は第２の番組を前記記録媒体に記録する記録再生手段と、
を有する記録番組の整理装置。
【請求項２】
前記ビットレート設定手段は、前記記録媒体に記録される前記第２の番組の内容及び又は前記記録媒体に記録されていた期間に応じて、信号ビットレートを低下させる方向へ調整する手段をさらに含む請求項１記載の記録番組の整理装置。
【請求項３】
前記ビットレート設定手段は、前記第２の番組が、連続ドラマ番組、シリーズ番組、又は特別情報で特別に指定されている番組であった場合は、前記信号ビットレートの低下を抑制する請求項２記載の記録番組の整理装置。
【請求項４】
前記特別情報は、ネットワークから取得した当該第２の番組に関するキーワード若しくはユーザが登録した当該第２の番組に関するキーワードが存在する場合は、前記信号ビットレートの低下を抑制する請求項３記載の記録番組の整理装置。
【請求項５】
前記ビットレート設定手段は、前記第２の番組が前記記録媒体に格納されていた格納期間が長いほど、前記再記録される前記第２の番組の信号ビットレートを低下する割合を大きくする請求項２記載の記録番組の整理装置。
【請求項６】
前記ビットレート設定手段は、前記第２の番組が、ニュース番組及び天気予報番組であった場合は、前記再記録される第２の番組の信号ビットレートを低下する割合を大きくする請求項２記載の記録番組の整理装置。
【請求項７】
さらに前記第２の番組の信号ビットレートの低下を抑制するために、前記第２の番組に対して特別の指定を行う特別指定部を有する請求項1記載の記録番組の整理装置。
【請求項８】
さらに前記記録媒体に記録されており、所定の信号ビットレートの指示を入力することにより、前記所定のビットレート以下の条件となる複数の番組を一括消去する一括整理部を有する請求項1記載の記録番組の整理装置。
【請求項９】
ユーザが視聴した番組の履歴情報に基づいて、前記番組の嗜好度情報を生成する嗜好度情報生成手段と、少なくとも前記嗜好度情報に基づいて第１の番組の信号ビットレートを設定するビットレート設定手段と、前記ビットレート設定手段で設定された前記信号ビットレートに基づいて前記第１の番組を前記記録媒体に記録する記録再生手段とを有した装置の記録番組の整理方法において、
制御装置が、チューナで受信した第１の番組を記録媒体に記録する場合は、前記嗜好度情報に基づいて前記第１の番組の信号ビットレートを設定し、前記記録媒体から読み出した第２の番組を前記記録媒体に再記録する場合は、前記第２の番組の前記記録媒体への格納期間に基づいて信号ビットレートを設定し、
前記設定された前記信号ビットレートに基づいて前記第１又は第２の番組を前記記録媒体に記録する、記録番組の整理方法。
【発明の詳細な説明】
【技術分野】
【０００１】
本発明の実施形態は記録番組の整理装置及び記録番組の整理方法に関する。
【背景技術】
【０００２】
最近は、デジタルテレビジョン放送される番組信号の受信装置として、複数のチューナを有し、複数チャンネル（例えば６チャンネルあるいは９チャンネル）の番組信号を同時に受信できる受信装置が開発されている。また、前記受信装置には、受信された複数の番組信号を大容量の記録媒体（ハードディスク）に記録することができる記録再生装置が接続される。
【０００３】
上記のように複数チャンネルの全番組（又は特定時間帯の全番組）を自動的に長期間記録し続ける記録をタイムシフト録画と称する場合がある。
【０００４】
上記した受信装置及び記録再生装置を含む装置を、以下番組信号記録再生装置と称することにする。この番組信号記録再生装置では、多くの番組信号がハードディスクに記録されている。このために、ユーザが視聴しようとする番組を選択する場合、ユーザは希望の番組を選択するまでに時間を要する場合がある。そこでこのような不具合を改善するために、番組推薦装置が開発されている。番組推薦装置は、ユーザが視聴した番組の番組情報からユーザの好み（嗜好性）を学習して嗜好モデルを作成し、この嗜好モデルを保存することができる。この番組推薦装置は、ユーザがハードディスクに記録されている番組を選択する際、嗜好モデルに基づいて推薦する番組情報を、ユーザにディスプレイを通じて提供することができる。
【０００５】
さらにハードディスクに多くの番組信号が記録される場合、ハードディスクの容量には限界が生じる。ハードディスクの容量を有効に活用するために、ユーザが明示的に指定する番組信号に関してはユーザが設定しているビットレートで記録し、ユーザが明示的に指定していない番組信号に関しては、ユーザが設定しているビットレートよりも低いビットレートで記録する装置も開発されている。
【先行技術文献】
【特許文献】
【０００６】
【特許文献１】特開２００７−２７２４５１号公報
【特許文献２】特開２００８−２６２３９８号公報
【特許文献３】特開２０１１−１５１８１０号公報
【発明の概要】
【発明が解決しようとする課題】
【０００７】
上記したように、多チャンネルの番組信号の記録再生装置において、ハードディスクに多くの番組信号を記録する場合、記録する番組信号のビットレートを低く調整する装置がある。しかし、記録する番組信号のビットレートを調整するに際し、一律に全ての番組信号のビットレートを低下させて記録したのでは、ユーザの意向に沿わない場合がある。例えば、ユーザが、高画質で視聴したいと思う番組が、低ビットレートで記録されるような事態が生じることもある。
【０００８】
そこで本実施形態では、ユーザの視聴履歴情報を有効に活用して、ユーザの嗜好番組を学習し、この学習結果に基づいて、記録媒体に記録する番組の信号ビットレートを設定することができる、記録番組の整理装置及び記録番組の整理方法を提供することを目的とする。
【課題を解決するための手段】
【０００９】
実施形態によれば、嗜好度情報生成手段は、ユーザが視聴した番組の履歴情報に基づいて、前記番組の嗜好度情報を生成する。ビットレート設定手段は、チューナで受信した第１の番組を記録媒体に記録する場合は、前記嗜好度情報に基づいて前記第１の番組の信号ビットレートを設定し、前記記録媒体から読み出した第２の番組を前記記録媒体に再記録する場合は、前記第２の番組の前記記録媒体への格納期間に基づいて信号ビットレートを設定する。記録再生手段は、ビットレート設定手段で設定された前記信号ビットレートに基づいて前記第１又は第２の番組を前記記録媒体に記録する。
【図面の簡単な説明】
【００１０】
【図１】実施形態の構成の一例を示すブロック図である。
【図２】実施形態に含まれる視聴履歴格納部に格納されているテーブルの一例を示す図である。
【図３】実施形態に含まれるビットレート設定手段に用意されているビットレート設定のための参照テーブルの図である。
【図４】図１の視聴履歴取得部の動作手順の一例を示すフローチャートである。
【図５】図１の嗜好モデル学習部の動作手順の一例を示すフローチャートである。
【図６】図１の嗜好度算出部の動作手順の一例を示すフローチャートである。
【図７】図１の実施形態の動作の一面であり、受信した番組を録画番組格納部に記録する系統を示したブロック図である。
【図８】図１の実施形態の動作の他の面であり、録画番組格納部から読み出した番組を再度録画番組格納部に記録する系統を示したブロック図である。
【図９】実施形態において表示器に表示される画面の一例を示す図である。
【発明を実施するための形態】
【００１１】
以下、実施の形態について図面を参照して説明する。図１は一実施形態が適用されたテレビジョン受信装置を示している。受信装置１０１は、複数のチューナ（例えば９個のチューナ）を有し、同時に複数のチャンネル（全チャンネルで９個のチャンネル）を受信することができる。各チューナで復調されたストリーム信号は、ストリーム処理部１０２に入力されて分離される。ここで分離された放送番組に関するストリームを番組と称することにする。番組は、ここでは別の表現では番組信号と称してもよいし、放送番組、放送番組信号、或いはコンテンツと称してもよい。
【００１２】
全チャンネルの番組は、記録媒体１２０に記録される。このときビットレート設定手段２３０により、各番組の信号ビットレートが設定される。そして、ビットレートが設定された番組は、記録再生手段２２０により、記録媒体１２０に記録される。
【００１３】
視聴する番組に含まれるオーディオ信号は、ストリーム処理部１０２からオーディオ信号処理部１０３に入力され、映像信号は映像信号処理部１０５に入力される。オーディオ信号処理部１０３では、オーディオ復号処理が行われ、復号されたデジタルオーディオ信号は、オーディオ信号出力部１０４に入力される。デジタルオーディオ信号は、オーディオ信号出力部１０４においてアナログオーディオ信号に変換され、スピーカシステム１１１に供給される。映像信号処理部１０５では、映像復号処理が行われ、復号された映像信号は、映像信号出力部１０６に入力される。映像信号出力部１０６は、映像信号のカラー・輝度などの画質調整を行い、調整された映像信号が表示器１１２に供給される。
【００１４】
受信装置１０１、ストリーム処理部１０２、オーディオ信号処理部１０３、オーディオ信号出力部１０４、映像信号処理部１０５、映像信号出力部１０６などは、制御装置２００により、統括的に制御される。
【００１５】
制御装置２００は、ユーザ端末３００からの操作信号を受けるモデム２４０を含む。ユーザ端末３００は、例えばスマートフォンや、タブレットパーソナルコンピュータやパーソナルコンピュータそのもので構成され、リモートコントローラとして機能する。ユーザ端末３００からの操作信号がモデム２４０で受信され、当該操作信号が指令解析部２４１で解析される。指令解析部２４１は、解析結果に応じて複数のブロックに対する制御信号を出力し、操作内容を装置全体の動作に反映する。
【００１６】
制御装置２００は、番組に対するユーザの嗜好度情報を生成する嗜好度情報生成手段２１０を有する。また、記録すべき番組のビットレートを嗜好度情報に基づいて設定するビットレート設定手段２３０を有する。そして、ビットレート設定手段２３０で設定されたビットレートに基づいて記録すべき番組の番組信号を記録媒体に記録する記録再生手段２２０を有する。また制御装置２００は、ハードディスクドライブを制御し、ハードディスクを各種データの格納部として利用することができる。さらに制御装置２００は、電子番組案内データ（ＥＰＧデータ)処理部２６０を有する。ＥＰＧデータ処理部２６０は、ＥＰＧデータは、放送信号に含まれるＥＰＧデータを抽出する。
【００１７】
また制御装置２００は、記録媒体に記録されている番組のうち、特に興味ある番組の画質を低下させないように指定することができる番組特別指定部２７１を含んでも良い。さらにまた制御装置２００は、記録媒体に記録された後、長時間経過した番組、或いはユーザの興味の薄い番組などを条件付で一括して整理する一括整理部２７２を含んでもよい。
【００１８】
嗜好度情報生成手段２１０、記録再生手段２２０、及びビットレート設定手段２３０は、図面の下段に取り出し、それぞれの主な構成要素を細分化して示している。
【００１９】
嗜好度情報生成手段２１０は、視聴履歴取得部１０、視聴履歴格納部２０、嗜好モデル学習部１１、嗜好情報格納部２１、嗜好度算出部１２、嗜好度格納部２２を有する。また記録再生手段２２０は、記録再生制御部１２、録画番組格納部２３を有する。またビットレート設定手段２３０は、トランスコーダ１４を含む。
【００２０】
上記した視聴履歴格納部２０、嗜好情報格納部２１、及び嗜好度格納部２２としては、ハードディスクの一部の領域が利用されてもよいし、或いは、半導体メモリ（ランダムアクセスメモリ、フラッシュメモリなど）が利用されてもよい。録画番組格納部２３としては、ハードディスクの記録領域が利用される。
【００２１】
視聴履歴取得部１０は、例えば放送信号から取得できる複数チャンネルの番組情報（上記のＥＰＧデータ）をテーブルとして視聴履歴格納部２０に格納する。更に視聴履歴取得部１０は、ユーザがテレビ番組を視聴した際に、視聴履歴格納部２０のテーブル上の当該番組の欄に対して視聴フラグをつける。
【００２２】
視聴フラグとしては、放送中の番組が放送と同時に、ユーザにより視聴されたときに付された視聴フラグ、及び録画番組格納部２３に格納されている番組が再生されて、ユーザにより視聴されたときに付加された視聴フラグがある。視聴フラグに基づいて、日、週、月当たりの視聴回数を求めることができる。
【００２３】
嗜好モデル学習部１１は、視聴履歴格納部２０に格納されている過去のＥＰＧデータと、ユーザが視聴した番組に付与されている視聴フラグを含む嗜好情報から、ユーザの番組嗜好に関する嗜好モデルを学習する。学習した嗜好モデルは嗜好情報格納部２１に格納される。例えば、番組の視聴履歴から、番組の視聴頻度を求め、また視聴時間（番組の全時間に対する視聴割合の時間）などを条件として番組に対する関心度を設定し、またジャンル毎に分類したモデルを得る。関心度は、例えば、ジャンル別、出演者別などをキーとして、視聴回数にポイントをプラスすることで関心度を得ることができる。
【００２４】
この嗜好モデルは、ここで説明する内容に限定されるものではなく、各種の方法があることに留意されたい。
【００２５】
次に、嗜好度算出部１２は、嗜好情報格納部２１に格納されている嗜好モデルと、過去・未来の番組情報を有するＥＰＧデータから、各番組の嗜好度（ユーザが視聴する確率を意味しており視聴確率と称しても良い）を算出する。
【００２６】
即ち、視聴モデルは、上記したようにある番組に対するユーザの視聴頻度、関心度の情報を含む。したがって、この視聴頻度、関心度をパラメータとし、過去・未来の同様な番組（連続ドラマ・ニュース番組など）が一定期間において視聴される確率（視聴度）を求める。例えば、複数（例えば５０）の視聴候補番組Ｐ１−Ｐ５０が嗜好情報格納部２１の嗜好モデルに掲げられていた場合、ＥＰＧデータによる全番組（例えば１５０）の中に、該当する視聴候補番組が存在するかどうかを判定する。そして、視聴候補番組Ｐ１−Ｐ５０が存在した場合は、それぞれの番組が選択される確率（1/150）に対して、例えば上記したポイントの高い番組については、視聴確率を高く設定し、任意の単位で嗜好度を割り当てる。例えば、嗜好モデルで管理数番組数が上限５０であれば、1乃至50度を割り当てる。なおここで述べる視聴度の考え方は一例であり、この方法に限定されるものではないことに留意されたい。算出したＥＰＧデータの各番組の嗜好度は、嗜好度格納部２２に格納される。
【００２７】
ビットレート設定部２３０と相俟って、記録再生制御部１３は、嗜好度格納部２２に格納されている未来の番組の嗜好度の大小に基づき、例えば最高ビットレート・高ビットレート・中ビットレート・低ビットレート・最低ビットレートの５段階の信号ビットレートを設定する。信号ビットレートの大きさは、最高ビットレート＞高ビットレート＞中ビットレート＞低ビットレート＞最低ビットレートである。嗜好度がある一定値a以上の番組に関しては最高ビットレート、嗜好度がa未満b以上（a>b）の番組に関しては高ビットレート、嗜好度がb未満の番組に関しては中ビットレートで録画を行う。
【００２８】
上記のように番組が、録画番組格納部２３に格納される。ここで、ビットレート設定部２３０に含まれるトランスコーダ１４は、録画番組格納部２３の中で、録画した日時から一定期間（例えば１週間）経過した番組データに対して再トランスコードを行う。
【００２９】
トランスコーダ１４は、嗜好度格納部２２を参照し、録画番組格納部２３の録画番組データの中で嗜好度がa以上の番組に関しては録画ビットレートを最高ビットレートのままで維持する。録画番組データの中で嗜好度がa未満b以上の番組に関してはビットレートを高ビットレートから中ビットレートに、嗜好度がb未満の番組に関してはビットレートを中ビットレートから低ビットレートに下げて再トランスコードを行う。
【００３０】
また、トランスコーダ１４は、録画した日時から更に一定期間（例えば１ヶ月）が経過した番組データに対して再トランスコードを行う。このとき、トランスコード部１４は、嗜好度格納部２２を参照し、録画番組格納部２３の録画番組データの中で嗜好度がa以上の番組に関してはビットレートを最高ビットレートから高ビットレートに、嗜好度がa未満b以上の番組に関してはビットレートを中ビットレートから低ビットレートに、嗜好度がb未満の番組に関してはビットレートを低ビットレートから最低ビットレートに下げて再トランスコードを行う。
【００３１】
またビットレート設定手段（トランスコーダ）は、番組が、ニュース番組及び天気予報番組であった場合は、再記録される番組の信号ビットレートを低下する割合を大きくすることができる。或いは、保存期間もしくは番組内容によっては削除するように設定することも可能である。
【００３２】
図２は、例えば、視聴履歴格納部２０に格納されている番組情報（ＥＰＧデータ）テーブルの一例である。このテーブルの分類項目としては、例えばチャンネル、番組名、視聴フラグ、1週間当たりの視聴回数、1ヶ月当たりの視聴回数、格納期間、特別指定情報（ユーザが特別に指定した情報、インターネットなどで評判になり話題となっているかどうかを示す情報、ユーザが登録したキーワードなど）、番組の現在の信号ビットレート、その他番組情報（出演者、再放送、シリーズドラマ種別、連続ドラマ種別、ジャンルなど）、があり、これらを記述する領域がある。上記のユーザが特別に指定する番組としては、例えばユーザ自身が出演した番組、或いは記念式典、重要なイベント（スポーツの決勝戦）などユーザが特に関心を持っているような番組がある。特別に指定する番組は、ユーザが入力する特別指定情報により指定される。
【００３３】
図３は、先に説明したビットレート設定手段２３０が信号ビットレートを設定するために準備している設定情報である。
【００３４】
図４は、ＥＰＧデータの取得動作と合わせて視聴履歴取得部の動作を示すフローチャートである。ＥＰＧデータは、例えば１日１回の割合で取得される（ステップＳＡ５，ＳＡ１）。取得されたＥＰＧデータは、視聴履歴格納部にて格納或いは更新される。テレビ番組が視聴されると、ＥＰＧデータの視聴番組欄に視聴フラグが付けられる。また視聴回数データの更新が行われる（図２のテーブル参照）（ステップＳＡ３，ＳＡ４）。次にステップＳＡ５に移行する。
【００３５】
図５は、嗜好モデル学習部１１の学習ルーチンを示している。視聴履歴格納部２０のＥＰＧデータ（実際には図２で示したテーブルの情報）を利用して嗜好モデルを学習する（ステップＳＢ１）。学習した嗜好モデルは、嗜好情報格納部２１に格納される（ステップＳＢ２）。次に、例えば３、４週間待機し、ステップＳＢ１に移行して、次の新しい嗜好モデルの作成を行う。
【００３６】
図６は、嗜好度算出部１２の動作を示している。嗜好モデルと、過去・未来のＥＰＧデータから、各番組の嗜好度を算出する。算出した嗜好度が嗜好度格納部２２に格納される（ステップＳＣ１，ＳＣ２）。その後例えば２４時間経過を待ち、ステップＳＣ１に戻り嗜好度の計算を行う。
【００３７】
図７は、放送番組が受信装置１０１で受信され、録画番組格納部２３に格納されるときに、信号ビットレートが設定されて格納される経路を示している。新しく自身した番組は、ビットレート設定手段２３０により、信号ビットレートが設定され、記録再生制御部１２において、所定の記録フォーマットに変換されて、録画番組格納部２３に格納される。
【００３８】
図８は、録画番組格納部２３に格納されている番組が記録再生制御部１２により読み出され、ビットレート設定手段２３０により、信号ビットレートが低下されて、再度記録再生制御部１２において、所定の記録フォーマットに変換されて、録画番組格納部２３に格納される経路を示している。
【００３９】
この場合、基本的には、ビットレート設定手段２３０は、記録媒体に記録される番組の内容及び又は前記記録媒体に記録されていた期間に応じて、信号ビットレートを低下させる方向へ調整する。しかし、ビットレート設定手段２３０は、番組が、連続ドラマ番組、シリーズ番組、又は特別指定情報で、特別に指定されている番組であった場合は、信号ビットレートの低下を抑制してもよい。特別指定情報としては、ネットワークから取得した当該番組に関するキーワード若しくはユーザが登録した当該番組に関するキーワードである。
【００４０】
信号ビットレートの低下を抑制する場合、抑制の程度を決める方法としては、種々の形態が可能である。特別指定番組、番組の内容、ジャンルなど応じて、信号ビットレートの低下の程度が０％、５％、１０％などになるように各種設定可能としてもよい。また番組の内容とジャンルと格納期間の長さに応じて、信号ビットレートの低下の程度が５％、１０％、２０％など変化するようにしてもよい。
【００４１】
したがって、制御装置２００は、ユーザ端末３００から、嗜好履歴のテーブルに特別指定情報を入力する手段も含む。またユーザ端末３００からキーワード（例えば保存、最高、優秀、推薦など）を入力する手段も含む。
【００４２】
図９は番組に対して特別指定を行う場合、及び一括整理を行う場合のメニュー画面の例を示している。図９の画面９１は、メニューであり、「特別指定」が表示されると共にその意味内容が説明されている。また「一括整理」が表示されると共にその意味内容が説明されている。
【００４３】
ユーザがユーザ端末を操作し、カーソルを移動させて「特別指定」を選択し、決定ボタンを押すと、画面９２が現れる。このときは図１の特別指定部２７１が起動する。この画面９２は、図２のテーブルを利用して作成されたものであり、チャンネル番号と、番組名と、特別指定情報の欄が表示される。ここで、ユーザが所望の番組に対応する特別指定情報の行にカーソルを移動させて、設定ボタンを押すと、その欄に「Ｓｅｔ」が表示され、特別指定が行われたことが表示される。図の例では、番組ＸＸＸと番組ＷＷＷが特別指定されている。この設定により、番組ＸＸＸと番組ＷＷＷが1週間後、或いは1ヵ月後に図８で示したように、トランスコーダを通過しても、信号ビットレートの低下は実施されない。
【００４４】
次に画面９１において、ユーザがユーザ端末を操作し、カーソルを移動させて「一括生理」を選択し、決定ボタンを押すと、画面９３が現れる。このときは図１の一括整理部７２２が起動する。この画面は、録画番組格納部２３に多くの番組が記録されている状態で、一括整理を行いたい場合に活用される。画面９３では、「特別指定されている番組を除いて、・・・ランク以下は一括消去されます」と言うコメントが現れる。ユーザは、・・・のブランクに対して、ユーザ端末を操作して、例えば図３で示したビットレートｂ、ｃ、ｄなどを入力することができる。例えばｃをブランクに入力して、決定ボタンを操作すると、信号ビットレートｃ以下の番組は一括消去されることになる。
【００４５】
以上説明したように、本実施形態によれば、ユーザの視聴履歴情報を有効に活用して、ユーザの嗜好番組を学習し、この学習結果に基づいて、記録媒体に記録する番組の信号ビットレートを設定することができる。よってハードディスクなどの記録媒体を有効に使用することができ、ハードウエアの増設、費用負担の軽減を得ることができる。
【００４６】
本発明のいくつかの実施形態を説明したが、これらの実施形態は例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００４７】
１０・・・視聴履歴取得部、１１・・・嗜好モデル学習部、１２・・・嗜好度算出部、１３・・・記録再生制御部、２０・・・視聴履歴格納部、２１・・・嗜好情報格納部、２２・・・嗜好度格納部、２３・・・録画番組格納部、１０１・・・受信装置、１０２・・・ストリーム処理部、１０３・・・オーディオ信号処理部、１０４・・・オーディオ信号出力部、１０５・・・映像信号処理部、１０６・・・映像信号出力部、１１１・・・スピーカシステム、１１２・・・表示器、２００・・・制御装置、２１０・・・嗜好度情報生成手段、２２０・・・記録再生手段、２３０・・・ビットレート設定手段、２４０・・・モデム、２４１・・・指令解析部。
【図１】
2013106127.tif 000003
【図２】
2013106127.tif 000004
【図３】
2013106127.tif 000005
【図４】
2013106127.tif 000006
【図５】
2013106127.tif 000007
【図６】
2013106127.tif 000008
【図７】
2013106127.tif 000009
【図８】
2013106127.tif 000010
【図９】
2013106127.tif 000011